(57)【要約】【課題】短時間の内に効率的に移設作業を行うことが可能で実用的な移動式生垣を提供する。【解決手段】移動式生垣１は、上面を開口させた箱体２と、その箱体２の内部に収納する複数の樹木を植設してなる植栽体３とからなり、箱体２に、吊り上げるための吊り下げ用フレーム１１ａ，１１ｂを上方に突出するように設けられているため、移設作業を容易に行うことができる。また、吊り下げ用フレーム１１ａ，１１ｂが、箱体２に左右対称となるように複数本設けられているため、吊り上げた状態で非常に安定しているため、きわめて短時間の内に非常に容易に移設作業を行うことができる。【選択図】図１
2020080758.tif 000002
【特許請求の範囲】
【請求項１】
上面を開口させた箱体と、その箱体の内部に収納する複数の樹木を植設してなる植栽体とからなる移設式の生垣であって、
前記箱体に、吊り上げるための支持フレームを上方に突出するように設けたことを特徴とする移動式生垣。
【請求項２】
前記支持フレームが、前記箱体に左右対称となるように複数本設けられていることを特徴とする請求項１に記載の移動式生垣。
【請求項３】
前記箱体の前後方向に沿って桟部材が設けられているとともに、
前記支持フレームが、前記桟部材に突設されていることを特徴とする請求項１、または請求項２に記載の移動式生垣。
【請求項４】
前記箱体の底部に、排水機構を設けたことを特徴とする請求項１〜３のいずれかに記載の移動式生垣。
【発明の詳細な説明】
【技術分野】
【０００１】
本発明は、イベント会場等において一定の期間、敷地・空間を区分けする際等に用いる移動式の（移設可能な）生垣に関するものである。
【背景技術】
【０００２】
樹木を壁状に生育させた生垣は、空間の仕切りや目隠しとして非常に有用であるが、土壌中に苗木を植えて育成させるには、多大な年月を要してしまう。それゆえ、特許文献１の如く、植木用桝に樹木を生垣状に栽培してクレーン等の重機を利用して搬送（移動）可能に構成したものが知られている。
【先行技術文献】
【特許文献】
【０００３】
【特許文献１】特開昭５９−７６３８０号公報
【発明の概要】
【発明が解決しようとする課題】
【０００４】
しかしながら、特許文献１の如き従来の移動式の生垣は、吊り上げるための機構が設けられていないため、吊り上げ作業に手間が掛かる上、吊り上げた状態が不安定になるため、短時間の内に効率的に搬送することができない、という不具合があった。
【０００５】
本発明の目的は、特許文献１の如き従来の移動式の生垣が有する問題点を解消し、短時間の内に効率的に移設作業を行うことが可能で実用的な移動式生垣を提供することにある。
【課題を解決するための手段】
【０００６】
請求項１に記載の発明は、上面を開口させた箱体と、その箱体の内部に収納する複数の樹木を植設してなる植栽体とからなる移設式の生垣であって、前記箱体に、吊り上げるための支持フレームを上方に突出するように設けたことを特徴とするものである。
【０００７】
請求項２に記載の発明は、請求項１に記載の発明において、前記支持フレームが、前記箱体に左右対称となるように複数本設けられていることを特徴とするものである。
【０００８】
請求項３に記載の発明は、請求項１、または請求項２に記載の発明において、前記箱体の前後方向に沿って桟部材が設けられているとともに、前記支持フレームが、前記桟部材に突設されていることを特徴とするものである。
【０００９】
請求項４に記載の発明は、請求項１〜３のいずれかに記載の発明において、前記箱体の底部に、排水機構を設けたことを特徴とするものである。
【発明の効果】
【００１０】
請求項１に記載の移動式生垣は、複数の樹木を植設してなる植栽体を収納するための箱体に、吊り上げるための支持フレームが設けられているため、移設作業を容易に行うことができる。
【００１１】
請求項２に記載の移動式生垣は、支持フレームが箱体に左右対称となるように複数本設けられており、吊り上げた状態で非常に安定しているため、きわめて短時間の内に非常に容易に移設作業を行うことができる。
【００１２】
請求項３に記載の移動式生垣は、箱体の前後方向に沿って桟部材が設けられているとともに、支持フレームが、桟部材に突設されているため、強度が高く損傷しにくい上、メンテナンスが容易である。
【００１３】
請求項４に記載の移動式生垣は、箱体の底部に、排水機構が設けられているおり、内部に水が貯まって重量が増大する事態が起こらないため、常に容易に吊り上げ作業を行うことができる。また、長期間に亘って使用した場合でも、箱体が錆付く事態が生じない。
【図面の簡単な説明】
【００１４】
【図１】移動式生垣の正面図である。
【図２】箱体の正面図である。
【図３】箱体の平面図である。
【図４】箱体の斜視図である。
【発明を実施するための形態】
【００１５】
＜移動式生垣の構成＞
以下、本発明の移動式生垣の一実施形態について説明する。図１は、本発明に係る移動式生垣を示したものであり、移動式生垣１は、上面を開口させた箱体２と、その箱体２の内部に収納する複数の樹木を植設してなる植栽体３とによって構成されている。
【００１６】
図２〜図４は、ぞれぞれ、箱体の正面図、平面図、斜視図であり、箱体２は、鉄板によって形成された幅広な矩形の前板４および後板５、同様な鉄板によって形成された矩形の左側板６および右側板７、Ｃ形鋼によって形成されており左側板６と右側板７とを繋ぐように底部に設けられた（３分割された）横桟部材８、同様なＣ形鋼によって形成されており前板４と後板５とを繋ぐように底部に略等間隔に設けられた５つの縦桟部材９ａ〜９ｅ、鉄板によって形成されており前板４と後板５と右側板７とを繋ぐように底部に設けられた底板１０等によって構成されている。そして、それらの部材の接合部分を溶接することによって横長な直方体状に組み付けられており、上部を開口した状態になっている。なお、各部材の表面には、艶消しタイプの防錆塗装が施されている。
【００１７】
さらに、横桟部材８と縦桟部材９ｂとが交差する部分、横桟部材８と縦桟部材９ｄとが交差する部分には、それぞれ、Ｈ形鋼によって形成された吊り下げ用フレーム１１ａ，１１ｂが鉛直状に立設されている（溶接されている）。なお、それらの吊り下げ用フレーム１１ａ，１１ｂの先端には、クレーン等を利用して移動式生垣１を吊り上げる際に、所謂、吊り環を係合させるための矩形で環状のフック部材１９が固着されている。なお、各吊り下げ用フレーム１１ａ，１１ｂは、後述する傾斜状排水板１２に穿設された矩形の貫通孔を貫通した状態で立設されており、各吊り下げ用フレーム１１ａ，１１ｂと傾斜状排水板１２の貫通孔との隙間が、溶接によって塞がれた状態になっている（図３参照）。
【００１８】
また、箱体２の底部には、左端縁から右側にかけて所定の角度（略１°）だけ傾斜（右下がりに傾斜）するように矩形の傾斜状排水板１２が設けられている。当該傾斜状排水板１２は、排水機構の一部を構成するものであり、前板４と後板５と左側板７とを繋ぐように設けられており、前板４と後板５とを繋ぐように略等間隔に設けられたＬ形鋼からなる５本の補強フレーム１３，１３・・によって支承された状態になっている。
【００１９】
加えて、傾斜状排水板１２の前端縁は、前後方向に直線状になっている。さらに、その傾斜状排水板１２の前端縁際の裏面には、傾斜状排水板１２の前端縁際と底板の内側の端縁（前後方向に直線状の端縁）とを繋ぐように、前後に幅広な鉛直板１４が設けられている。そして、その鉛直板１４、前板４、後板５、右側板６および底板１０によって、排水機構である扁平な直方体状の貯水槽Ｓが形成された状態になっている。また、前板４の右端縁際の下端際には、貯水槽Ｓ内の水を抜くための排水孔１６が穿設されており、合成ゴム製のキャップで密栓されている。
【００２０】
さらに、箱体２の底部には、右端縁から左側にかけて所定の角度（略１°）だけ傾斜（左下がりに傾斜）するように矩形の排水補助板１５が設けられており、その排水補助板１５の内側の端縁が、傾斜状排水板１２の前端縁際の上側まで至った状態になっている。なお、当該排水補助板１５は、排水機構の一部を構成するものである。
【００２１】
一方、植栽体３は、合成樹脂製の多孔質体等からなるベース部材１７を利用して、多数の樹木１８，１８・・を根付かせたものであり、ベース部材１７の大きさが、箱体２に収納される大きさになるように設計されている。そして、移動式生垣１は、箱体２の内部にベース部材１７を嵌め込んだ状態で、植栽体３が箱体に収納されており、吊り下げ用フレーム１１ａ，１１ｂが、ベース部材１７を貫いて、植栽体３の樹木の内部に（外部から見えないように）隠れた状態になっている。
【００２２】
＜移動式生垣の使用方法＞
上記の如く構成された移動式生垣１は、必要に応じて、植栽体３の樹木の内部に位置した吊り下げ用フレーム１１ａ，１１ｂを利用して、クレーン等の重機を利用して搬送することができる。なお、そのようにクレーン等の重機を利用して吊り上げる際には、図４の如き、所謂、吊り環部材３１（左右の端縁に係合具（吊り下げ用フレーム１１ａ，１１ｂのフック部材１９，１９と係合させるもの）３３，３３を設けた竿体３２を、一対のアーム体３４，３４によって環体３５から吊り下げた部材）を利用して、吊り下げ用フレーム１１ａ，１１ｂに内向きの力が加わらないようにするのが好ましい。また、樹木に散水した場合や降雨の場合には、傾斜状排水板１２および排水補助板１５によって、箱体１２の内部に入り込んだ水が貯水槽Ｓまで導かれる。そして、必要に応じて、排水孔１６を利用して、排水することができる。
【００２３】
＜移動式生垣の効果＞
移動式生垣１は、上記の如く、上面を開口させた箱体２と、その箱体２の内部に収納する複数の樹木を植設してなる植栽体３とからなり、箱体２に、吊り上げるための支持フレーム（吊り下げ用フレーム１１ａ，１１ｂ）を上方に突出するように設けられているため、移設作業を容易に行うことができる。
【００２４】
また、移動式生垣１は、支持フレーム（吊り下げ用フレーム１１ａ，１１ｂ）が、箱体２に左右対称となるように複数本設けられているため、吊り上げた状態で非常に安定しているため、きわめて短時間の内に非常に容易に移設作業を行うことができる。
【００２５】
さらに、移動式生垣１は、箱体２の前後方向および左右方向に沿って桟部材（横桟部材８および縦桟部材９ａ〜９ｃ）が設けられているとともに、支持フレーム（吊り下げ用フレーム１１ａ，１１ｂ）が、桟部材（横桟部材８および縦桟部材９ｂ，９ｄ）に突設されているため、強度が高く損傷しにくい上、メンテナンスが容易である。
【００２６】
加えて、移動式生垣１は、上記の如く、箱体２の底部に、排水機構（傾斜状排水板１２、排水補助板１５、貯水槽Ｓおよび排水孔１６）が設けられているおり、内部に水が貯まって重量が増大する事態が起こらないため、常に容易に吊り上げ作業を行うことができる。また、長期間に亘って使用した場合でも、箱体が錆付く事態が起こりにくい。
【００２７】
さらに、移動式生垣１は、箱体２の周囲を平板状のプレートで覆ったものであるので、それらの平板状のプレートを利用して、各種の宣伝広告を表示することもできる。
【００２８】
＜移動式生垣の変更例＞
本発明に係る移動式生垣の構成は、上記実施形態の態様に何ら限定されるものではなく、箱体、植栽体等の材質、形状、構造等の構成を、本発明の趣旨を逸脱しない範囲で、必要に応じて適宜変更することができる。
【００２９】
たとえば、移動式生垣は、上記実施形態の如く、箱体の左右に一対の吊り下げ用フレームを突設したものに限定されず、箱体の左右左右に４本（あるいは６本）の吊り下げ用フレームを突設したもの等に変更することも可能である。また、移動式生垣は、上記実施形態の如く、独立した２本の吊り下げ用フレームを箱体の左右に突設したものに限定されず、２本（あるいは４本）の吊り下げ用フレーム同士に、金属製で長尺なフレームを水平に懸架できるように構成したものでも良い。さらに、移動式生垣は、上記実施形態の如く、傾斜状排水板および排水補助板の傾斜角度を１°に調整したものに限定されず、必要に応じて傾斜状排水板および／または排水補助板の傾斜角度を適宜変更することができる。加えて、移動式生垣は、上記実施形態の如く、前板４および後板５が単純なプレート状であるものに限定されず、横長な広告看板等を係止可能なフック部材等を前板４および／または後板５の上端際に散点状に設けたもの等に変更することも可能である。傾斜状排水板および排水補助板の傾斜角度を１°に調整したものに限定されず、必要に応じて傾斜状排水板および／または排水補助板の傾斜角度を適宜変更することができる。
【符号の説明】
【００３０】
１・・移動式生垣
２・・箱体
３・・植栽体
８・・横桟部材
９ａ〜９ｅ・・縦桟部材
１１ａ，１１ｂ・・吊り下げ用フレーム
１２・・傾斜状排水板
１５・・排水補助板
１６・・排水孔
１８・・樹木
【図１】
2020080758.tif 000003
【図２】
2020080758.tif 000004
【図３】
2020080758.tif 000005
【図４】
2020080758.tif 000006